(57)【要約】      （修正有）【課題】散歩用の手提げバックなどに入れても糞の匂いが気にならず、また採取後の糞の処理を容易かつ清潔に処理できる犬の糞処理用具を提供する。【解決手段】犬の糞処理用具は、犬の糞取り器Ａと糞収納袋Ｂとから構成され、犬の糞取り器Ａは、上蓋１と下蓋２が開閉軸３周りで開閉でき、上蓋１と下蓋２との境界部分に袋上蓋取り付け部１４ａと袋下蓋取り付け部１４ｂと上蓋辺縁部と下蓋辺縁部とを配置し、糞収納袋Ｂは、この境界部分と接する位置に、上蓋用取り付け部１７ａと下蓋用取り付け部１７ｂと密閉緩衝部１９とを周辺部分として配置し、犬の糞取り器Ａへの簡単な取り付けを可能とすると同時に、取っ手６の回転に連動して蓋押さえ機構１６の上蓋押し部１６ａと下蓋押し部１６ｂとが上蓋押し受け部１５ａと下蓋押し受け部１５ｂを挟んで押圧し、上蓋１と下蓋２との境界部分と糞収納袋Ｂの周辺部分を圧接し密閉性を高めた構造にする。【選択図】図１
2015177776.tif 000002
【特許請求の範囲】
【請求項１】
上蓋１と下蓋２と開閉軸３と取っ手６と蓋押さえ機構１６を具備し、上蓋１と下蓋２は開閉軸３の周りで開閉でき、上蓋１には上蓋辺縁部１ｐと袋上蓋取り付け部１４ａとを有し、下蓋２には下蓋辺縁部２ｐと袋下蓋取り付け部１４ｂとを有し、上蓋１と下蓋２が蓋押さえ機構１６により閉じた時には、上蓋辺縁部１ｐと下蓋辺縁部２ｐおよび袋上蓋取り付け部１４ａと袋下蓋取り付け部１４ｂとが圧接される構造の犬の糞取り器。
【請求項２】
上蓋１には上蓋押し受け部１５ａを有し、下蓋２には下蓋押し受け部１５ｂを有し、上蓋押し部１６ａと下蓋押し部１６ｂと上下蓋押し部連結部１６ｃからなる蓋押さえ機構１６が連結された取っ手６は開閉軸３に対して回転可能な構造であり、上蓋１と下蓋２が閉じた状態で取っ手６を回転すると、連動して蓋押さえ機構１６が回転し、上蓋押し部１６ａは上蓋押し受け部１５ａを押圧し、下蓋押し部１６ｂは下蓋押し受け部１５ｂを押圧することで、上蓋１の辺縁部１ｐと下蓋２の辺縁部２および袋上蓋取り付け部１４ａと袋下蓋取り付け部１４ｂとが圧接できる構造としたことを特徴とする請求項１記載の犬の糞取り器。
【請求項３】
上蓋袋底部２０ａと下蓋袋底部２０ｂとからなる袋底部２０とこの袋底部２０の両端に繋がる上蓋用取り付け部１７ａと下蓋用取り付け部１７ｂとを具備し、犬の糞取り器Ａが上蓋１と下蓋２とが開閉軸３の周りでＶ字状に開いた時に、袋上蓋取り付け部１４ａには上蓋用取り付け部１７ａを、袋下蓋取り付け部１４ｂには下蓋用取り付け部１７ｂをそれぞれ懸架するだけで取り付けができ、上蓋用取り付け部１７ａと下蓋用取り付け部１７ｂとを引き抜くだけで取り外しができる請求項１乃至請求項２記載の犬の糞取り器Ａに内設可能な構造としたことを特徴とする糞収納袋。
【請求項４】
犬の糞取り器Ａの上蓋辺縁部１ｐと下蓋辺縁部２ｐに接する位置に密閉緩衝部１９を有し、袋底部２０の両側面には左側面部１８Ｌと右側面部１８Ｒとからなる袋側面部１８とを有し、左側面部１８Ｌと右側面部１８Ｒは伸縮可能な構造であり、上蓋１と下蓋２が閉じた時に袋側面部１８が糞取り器本体Ａからはみ出し難くかつ密閉性を高めた構造としたことを特徴とする請求項３記載の糞収納袋。
【請求項５】
請求項１乃至請求項２記載の犬の糞取り器Ａと請求項３乃至請求項４の糞収納袋Ｂの両方を用いて構成される犬の糞処理用具。
【発明の詳細な説明】
【技術分野】
【０００１】本発明は、犬の糞処理用具に関し、特に密閉性を確保して犬の糞の採取後の匂いが外に漏れ難くした糞取り器と糞収納袋の構造に関する。
【背景技術】
【０００２】  近年のマナー意識の向上にともない犬の糞処理に関連したマナー製品が数多く製品化されている。【０００３】  従来製品化されている犬の糞処理用具は、道路に糞をしてしまったものを、取り除くことで処理するタイプ（以下タイプ１）と、道路に糞をする前に犬が腰を落として糞をする動作になった段階で、糞取り器を犬のお尻の下に入れ糞取り器内に糞をさせるタイプ（以下タイプ２）の大きく２タイプが既に製品化されている。【０００４】  タイプ１の製品としては、例えば特許文献１や特許文献２などがあり、特許文献１では、手袋状の紙製の外袋とポリ製の内袋の二重構造の袋で道路上の糞をつかみ取って後に、内袋と外袋をひっくり返し糞を紙製の袋内に取り、ポリ製の内袋が外になる構造である。
また特許文献２では、道路上の糞にトイレットペーパなどを被せ、予めポリ袋をセットしたプラスティック製の糞取りケースで挟みとる構造で、特許文献１および特許文献２ともに手を汚さず糞を採取できるが、取り終わった後に糞の匂いが外に漏れないためには、外袋を強く縛るなどが必要であり、また糞と紙製袋またはトイレットペーパを水洗トイレに流し、ポリ袋を可燃ごみに燃やす場合など強く縛ったポリ袋を解く手間などが必要になる問題があり、さらにそもそも犬が道路に既に糞をしてしまって後に、糞を取るタイプであるため、犬の糞が道路を汚すためマナーの観点から明らかに問題があった。【０００５】  タイプ２の製品として、例えば特許文献３や実用新案文献１などがあり、タイプ１と異なり道路を汚さない利点はあるが、特許文献３では、予めポリ袋などをセットし、蓋が開いた状態でポリ袋上に糞を採取し、蓋を閉じて持ち歩く構成であり、また実用新案文献１では、パイプの先に糞を採取するポリ袋をセットして使う構造であり、特許文献３および実用新案文献１は、糞を採取後に採取した糞の入った袋をポリ袋などの処理はタイプ１と同様で、糞の匂いから例えば散歩用の手提げ袋などに入れるのを躊躇する問題があった。
【参照特許・実用新案文献】
【０００６】
【特許文献１】  特許４３６６５９９
【特許文献２】  特許４８６８６２６
【特許文献３】  特許３３４３７１７
【実用新案文献１】
登録実用新案３０４１１５３
【発明が解決する課題】
【０００７】  本発明は、このような問題点を解決するためになされたもので、犬の糞取り器と糞収納袋とからなり、糞収納袋は犬の糞取り器に容易に装着と取り外しができ、犬が糞をする動作をし始めた時に犬のお尻の下に入れて糞収納袋内に糞を採取し、収納後には犬の糞取り器の蓋を閉じることで、高い密封性を確保でき、散歩用の手提げバックなどに入れても糞の匂いが気にならず、また採取後の糞の処理を容易かつ清潔に処理できる犬の糞処理用具の提供を目的とする。
【課題を解決するための手段】
【０００８】  本発明の犬の糞取り器は、請求項１に示すように第１の解決手段として、上蓋１と下蓋２と開閉軸３と取っ手６と蓋押さえ機構１６を具備し、上蓋１と下蓋２は開閉軸３の周りで開閉でき、上蓋１には上蓋辺縁部１ｐと袋上蓋取り付け部１４ａとを有し、下蓋２には下蓋辺縁部２ｐと袋下蓋取り付け部１４ｂとを有し、上蓋１と下蓋２が蓋押さえ機構１６により閉じた時には、上蓋辺縁部１ｐと下蓋辺縁部２ｐおよび袋上蓋取り付け部１４ａと袋下蓋取り付け部１４ｂとが圧接される構造とする。
【０００９】  さらに請求項２に示すように第２の解決手段として、請求項１記載の犬の糞取り器Ａに対して、上蓋１には上蓋押し受け部１５ａを有し、下蓋２には下蓋押し受け部１５ｂを有し、上蓋押し部１６ａと下蓋押し部１６ｂと上下蓋押し部連結部１６ｃからなる蓋押さえ機構１６が連結された取っ手６は開閉軸３に対して回転可能な構造であり、上蓋１と下蓋２が閉じた状態で取っ手６を回転すると、連動して蓋押さえ機構１６が回転し、上蓋押し部１６ａは上蓋押し受け部１５ａを押圧し、下蓋押し部１６ｂは下蓋押し受け部１５ｂを押圧することで、上蓋１の辺縁部１ｐと下蓋２の辺縁部２および袋上蓋取り付け部１４ａと袋下蓋取り付け部１４ｂとが圧接できる構造とする。
【００１０】  本発明の糞収納袋は、請求項３に示すように第３の解決手段として、上蓋袋底部２０ａと下蓋袋底部２０ｂとからなる袋底部２０とこの袋底部２０の両端に繋がる上蓋用取り付け部１７ａと下蓋用取り付け部１７ｂとを具備し、犬の糞取り器Ａが上蓋１と下蓋２とが開閉軸３の周りでＶ字状に開いた時に、袋上蓋取り付け部１４ａには上蓋用取り付け部１７ａを、袋下蓋取り付け部１４ｂには下蓋用取り付け部１７ｂをそれぞれ懸架するだけで取り付けができ、上蓋用取り付け部１７ａと下蓋用取り付け部１７ｂとを引き抜くだけで取り外しができる請求項１乃至請求項２記載の犬の糞取り器Ａに内設可能な構造とする。
【００１１】  さらに請求項４に示すように第４の解決手段として、請求項３記載の糞収納袋に対して、犬の糞取り器Ａの上蓋辺縁部１ｐと下蓋辺縁部２ｐに接する位置に密閉緩衝部１９を有し、袋底部２０の両側面には左側面部１８Ｌと右側面部１８Ｒとからなる袋側面部１８とを有し、左側面部１８Ｌと右側面部１８Ｒは伸縮可能な構造であり、上蓋１と下蓋２が閉じた時に袋側面部１８が糞取り器本体Ａからはみ出し難くかつ密閉性を高めた構造とする。
【００１２】  本発明の犬の糞処理用具は、請求項５に示すように第５の解決手段として、請求項１乃至請求項２記載の犬の糞取り器Ａと請求項３乃至請求項４の糞収納袋Ｂの両方を用いて構成される。
【発明を実施するための最良の形態】
【００１３】以下、図面を参照しながら本発明の犬の糞処理用具について詳細に説明する。【００１４】  図１は、本発明の犬の糞処理用具の最良の実施形態を示す実施例１の斜視図であり、犬の糞取り器Ａと糞収納袋Ｂが示されている。図２は、本発明の実施例１の糞取り器の斜視図であり、図１で糞収納袋Ｂを外した犬の糞取り器Ａだけの図に相当する。【００１５】  図２の犬の糞取り器Ａは、例えばプラスティック成形で作られ、上蓋１と下蓋２と開閉軸３と開き角度固定ストッパー４と取っ手６と取っ手の把持部７と回転軸８と袋上蓋取り付け部１４ａと袋下蓋取り付け部１４ｂと上蓋押し受け部１５ａと下蓋押し受け部１５ｂおよび蓋押さえ機構１６とから構成され、この蓋押さえ機構１６は上蓋押し部１６ａと下蓋押し部１６ｂと上下蓋押し部連結部１６ｃから構成される構造である。【００１６】  さらに上蓋１と下蓋２は蝶番構造の開閉軸３の周りで開閉できる構造であり、取っ手６は取っ手の把持部７を含めて長方形状に構成され、取っ手６に連結する蓋押さえ機構１６は、取っ手の把持部７の反対側の長方形状の一辺に緊結され、上蓋１の上蓋１と下蓋２が閉じた状態では、上蓋１と一体構造の上蓋押し受け部１５ａと下蓋に一体構造の下蓋押し受け部１５ｂとは蓋押さえ機構１６の上蓋押し部１６ａと下蓋押し部１６ｂによって圧接され、結果として上蓋１と下蓋２とが接する境界部分である上蓋辺縁部１ｐと下蓋辺縁部２ｐの間および袋上蓋取り付け部１４ａと袋下蓋取り付け部１４ｂの間が圧接する構造である。【００１７】  上蓋１と下蓋２が閉じた状態から開く時には、取っ手６を回し始めると、取っ手６と一体構造である上下蓋押し部連結部１６ｃおよび回転軸８が回転し始め、上下蓋押し部連結部１６ｃに一体の上蓋押し部１６ａと下蓋押し部１６ｂも回転し始め、例えば角度３０度程度回転すると、圧接されていた上蓋押し受け部１５ａと下蓋押し受け部１５ｂが開放され、上蓋１と下蓋２の側面から見ると鈍角（角度固定ストッパーで設定された例えば１２０度程度）のＶ字状に手で開く構造である。【００１８】  上蓋１と下蓋２が開いた状態から閉じる時には、手で上蓋１と下蓋２を閉じて後に、取っ手６を右回しでも左回しでもさらに例えば角度３０度程度回転する段階で、上蓋押し受け部１５ａと下蓋押し受け部１５ｂとは蓋押さえ機構１６の上蓋押し部１６ａと下蓋押し部１６ｂとで押圧され、結果として開口部周辺の３辺の例えば３〜１０ｍｍ程度の幅がある上蓋辺縁部１ｐの面と下蓋辺縁部２ｐの面の間および袋上蓋取り付け部１４ａの面と袋下蓋取り付け部１４ｂの面とが圧接する構造である。【００１９】  図３は、本発明の実施例１の蓋押さえ機構と取っ手を握る手の斜視図である。
図３に示すように、上蓋押し部１６ａと下蓋押し部１６ｂとは取っ手６と一体構造である上下蓋押し部連結部１６ｃに緊結され、取っ手の把持部７を握って回転することで上蓋１と下蓋２とがスムーズに押圧や解放が可能なように、回転軸８の軸方向に向く内側の面は凸な曲面である。【００２０】図４は、本発明の実施例１の蓋押さえ機構と糞収納袋を含めたＸ−Ｘ´部分断面図である。図４は、図１の犬の糞処理用具Ａの蓋が閉まった状態における蓋押さえ機構１６と糞収納袋Ｂとを図３中のＸ−Ｘ´方向を上下に切った部分断面を示している。図４に示すように、上蓋１と袋上蓋取り付け部１４ａと上蓋押し受け部１５ａ、また下蓋２と下蓋押し受け部１５ｂおよび下蓋押し受け部１５ｂはそれぞれ一体構造である。そのため上蓋１と下蓋２とが閉じた状態では上蓋用取り付け部１７ａと下蓋用取り付け部１７ｂは上蓋押し部１６ａと下蓋押し部１６ｂに挟まれ押圧され、結果として糞収納袋Ｂの上蓋用取り付け部１７ａと下蓋用取り付け部１７ｂが接する部分が圧接される構造になっている。【００２１】  図１に示される実施例１の糞収納袋Ｂは、上蓋袋底部２０ａと下蓋袋底部２０ｂとからなる袋底部２０とこの袋底部２０に繋がる上蓋用取り付け部１７ａと下蓋用取り付け部１７ｂと袋側面部１８と密閉緩衝部１９とからなり、上蓋用取り付け部１７ａと下蓋用取り付け部１７ｂとは例えば環帯状であり、袋上蓋取り付け部１４ａと袋下蓋取り付け部１４ｂに引っ掛けるだけで済む構造とし、例えば水洗トイレで流せる紙製の１つの袋構造でも、ポリ製の外袋を有した二重構造でもよい。【００２２】  さらに詳しくは、袋側面部１８は取っ手側から見て右側の袋右側面部１８Ｒと左側の袋左側面部１８Ｌとからなり例えば蛇腹のような複数の折り目による伸縮性を実現した構造であり、密閉緩衝部１９は上蓋右緩衝部１９Ｒａと上蓋左緩衝部１９Ｌａと下蓋右緩衝部１９Ｒｂと下蓋左緩衝部１９Ｌｂとから構成され、図１のような配置の構成である。【００２３】  図５は、本発明の犬の糞処理用具の簡易構造の実施例２の斜視図であり、犬の糞取り器Ａと糞収納袋Ｂが示されている。図６は、本発明の実施例２の糞取り器の斜視図であり、図５で糞収納袋Ｂを外した犬の糞取り器Ａだけの図に相当する。
図６においては、下蓋２には左フック型金具１６Ｌｂと右フック型金具１６Ｒｂが枢結され、上蓋１には左フック受け金具１６Ｌａと右フック受け金具１６Ｒａが固定されている構造で、左フック型金具１６Ｌｂと右フック型金具１６Ｒｂは例えば弾性のある金属で作られ、蓋を閉め左フック受け金具１６Ｌａと右フック受け金具１６Ｒａとにそれぞれを引っ掛けた時には弾性により押圧することで、上蓋辺縁部１ｐの面と下蓋辺縁部２ｐの面および袋上蓋取り付け部１４ａの面と袋下蓋取り付け部１４ｂの面とが圧接する構造である。【００２４】  図５に示される実施例２の糞収納袋Ｂは、上蓋袋底部２０ａと下蓋袋底部２０ｂとからなる袋底部２０と袋底部２０に繋がる上蓋用取り付け部１７ａと下蓋用取り付け部１７ｂとからなり袋側面部１８と密閉緩衝部１９がない構造で、例えば水洗トイレで流せる紙製の１つの袋構造でも、ポリ製の外袋を有した二重構造でもよい。
【変形例】
【００２５】  実施例２の犬の糞取り器Ａに対しては、上蓋１と下蓋２の間に中蓋を設ける構造にしてもよい。中蓋を設ける時には、中蓋は下蓋２に緊結され、下蓋２と中蓋を合わせて前記の下蓋２の役割を成す構成にすればよく、例えば下蓋２と中蓋はねじなどで結合し、下蓋辺縁部２ｐは中蓋の辺縁部が代わりの役割を果す構造にする。また袋下蓋取り付け部１４ｂは中蓋と一体構造にし、下蓋押し受け部１５ｂは下蓋２と一体構造としてもよい。また回転軸の軸受けは中蓋と下蓋とで挟む構造の軸受けにしてもよい。また上記の実施形態や変形例に限定されることなく、要旨を逸脱しない範囲の各種変形実施が可能である。
【使用方法】
【００２６】  本発明の犬の糞処理用具は、犬の糞取り器Ａと糞収納袋Ｂとからなり、まず糞収納袋Ｂを犬の糞取り器Ａに装着し、上蓋と下蓋を閉じて持ち歩く。例えば手提げ袋などに入れ持ち歩くこともできる。そして犬が糞をする動作をした時点で、上蓋と下蓋を開いた状態にした犬の糞取り器Ａを犬のお尻の下に挿入し、内設された糞収容袋内に糞を採取する。糞を採取して後には犬の糞取り器Ａの上蓋と下蓋を閉じた状態にし、例えば手提げ袋などに入れ持ち帰り、水洗トイレに流すか可燃ごみとして処理する。
【発明の作用と効果】
【００２７】  以上実施形態で示して来たように、本発明の犬の糞処理用具は、請求項１に示すように第１の解決手段によって、例えば糞収納袋を装着しないで直に犬の糞取り器に犬の糞を採取する場合であっても、上蓋１と下蓋２を閉じた時には、蓋押さえ機構１６により上蓋辺縁部１ｐの面と下蓋辺縁部２ｐの面および袋上蓋取り付け部１４ａの面と袋下蓋取り付け部１４ｂの面とが圧接される構造であることで糞の匂いが外に漏れにくい効果がある。
【００２８】  請求項２に示す第２の解決手段によって、上蓋押し受け部１５ａと下蓋押し受け部１５ｂおよび上蓋押し部１６ａと下蓋押し部１６ｂと部連結部１６ｃからなる蓋押さえ機構１６があるため、取っ手６を回転するだけで、上蓋辺縁部１ｐの面と下蓋辺縁部２ｐの面および袋上蓋取り付け部１４ａの面と袋下蓋取り付け部１４ｂの面とが簡単に圧接される構造であることで、簡単な操作で糞の匂いが外に漏れにくい効果がある。
【００２９】  請求項３に示すように第３の解決手段によって、糞収納袋Ｂの環帯状の上蓋用取り付け部１７ａと下蓋用取り付け部１７ｂを請求項１乃至請求項２の犬の糞取り器Ａの袋上蓋取り付け部１４ａと袋下蓋取り付け部１４ｂに懸架するだけで取り付けができ簡単にできる効果がある。
【００３０】  請求項４に示すように第４の解決手段によって、犬の糞取り器Ａの上蓋辺縁部１ｐと下蓋辺縁部２ｐに接する糞収納袋Ｂの位置に密閉緩衝部１９を設けることで、上蓋１と下蓋２が閉じた時に、上蓋辺縁部１ｐと下蓋辺縁部２ｐとの圧接面に僅かな誤差による隙間があった場合でも密閉緩衝部１９がこの隙間を埋め、また袋上蓋取り付け部１４ａと袋下蓋取り付け部１４ｂとの圧接面に僅かな誤差による隙間があった場合でも上蓋用取り付け部１７ａと下蓋用取り付け部１７ｂがこの隙間を埋める役割を果たし密閉性がさらに高まり匂いが漏れ難い効果がある。さらに伸縮性のある袋側面部１８を設けたことで、蓋を閉じた時には糞収納袋Ｂ内に収納された糞を袋側面部１８で包み込む形になり、持ち帰って糞を処理する場合に処理し易い効果がある。例えば内袋が紙製で外袋がポリ製の二重構造の場合には、犬の糞取り器Ａから取り外して後に、外袋の上蓋用取り付け部１７ａと下蓋用取り付け部１７ｂの部分を強く結び締めるなどで室内のごみ箱に可燃ごみとして捨てる場合にも匂いが漏れ難い効果がある。
【００３１】  請求項５に示すように第５の解決手段のように、犬の糞取り器Ａと糞収納袋Ｂの両方の使用形態で、簡単な装着と取り外しができ、匂いが漏れ難い糞処理用具が実現できる効果がある。
【図面の簡単な説明】
【００３２】
【図１】は、本発明の犬の糞処理用具の最良の実施形態を示す実施例１の斜視図である。
【図２】は、本発明の実施例１の糞取り器の斜視図である。
【図３】は、本発明の実施例１の蓋押さえ機構と取っ手を握る手の斜視図である。
【図４】は、本発明の実施例１の蓋押さえ機構と糞収納袋を含めたＸ−Ｘ´部分断面図である。
【図５】は、本発明の犬の糞処理用具の簡易構造の実施例２の斜視図である。
【図６】は、本発明の実施例２の糞取り器の斜視図である。
【符号の説明】
【００３３】Ａ    犬の糞取り器
Ｂ    糞収納袋
１    上蓋
１ｐ  上蓋辺縁部
２    下蓋
２ｐ  下蓋辺縁部
３    開閉軸
４    開き角度固定ストッパー
６    取っ手
７    取っ手の把持部
８    回転軸
１４ａ  袋上蓋取り付け部
１４ｂ  袋下蓋取り付け部
１５ａ  上蓋押し受け部
１５ｂ  下蓋押し受け部
１６    蓋押さえ機構
１６ａ  上蓋押し部
１６ｂ  下蓋押し部
１６ｃ  上下蓋押し部連結部
１６Ｌａ  左フック受け金具
１６Ｒａ  右フック受け金具
１６Ｌｂ  左フック型金具
１６Ｒｂ  右フック型金具
１７ａ  上蓋用取り付け部
１７ｂ  下蓋用取り付け部
１８    側面部
１８Ｌ  左側面部
１８Ｒ  右側面部
１９      密閉緩衝部
１９Ｌａ    上蓋左密閉緩衝部
１９Ｒａ    上蓋右密閉緩衝部
１９Ｌｂ    下蓋左密閉緩衝部
１９Ｒｂ    下蓋右密閉緩衝部
２０        袋底部
２０ａ      上蓋袋底部
２０ｂ      下蓋袋底部
【図１】
2015177776.tif 000003
【図２】
2015177776.tif 000004
【図３】
2015177776.tif 000005
【図４】
2015177776.tif 000006
【図５】
2015177776.tif 000007
【図６】
2015177776.tif 000008